【手続補正書】
【提出日】平成23年7月11日(2011.7.11)
【手続補正１】
【補正対象書類名】特許請求の範囲
【補正対象項目名】全文
【補正方法】変更
【補正の内容】
【特許請求の範囲】
【請求項１】
通信回線を介して接続された端末装置から、その端末装置により予め設定された以上の音量で検出された演奏中の楽曲の音声データと、その端末装置の現在位置を特定するための位置特定情報とが送信された場合に、この送信された音声データと位置特定情報とを受信する受信手段と、
前記受信手段により受信された音声データに基づいて、この音声データの楽曲の特性を判定する特性判定手段と、
前記位置特定情報に基づいて前記音声データを送信した前記端末装置の位置を特定し、特定した前記端末装置の位置と、前記特性判定手段により判定された楽曲の特性と、を含む情報を外部の装置に提供する情報提供手段と、を備えること、
を特徴とする楽曲情報提供装置。
【請求項２】
通信回線を介して接続された端末装置と、サーバ装置とを備えて構成され、
前記端末装置は、
予め設定された以上の音量の音声を検出して音声データを生成する音声検出手段と、
前記音声検出手段により生成された音声データを、前記端末装置の自己位置を特定するための位置特定情報とともに送信する送信手段と、を備え、
前記サーバ装置は、
前記端末装置から送信された音声データと位置特定情報とを受信する受信手段と、
前記受信手段により受信された音声データに基づいて、この音声データの楽曲の特性を判定する特性判定手段と、
前記位置特定情報に基づいて前記音声データを送信した前記端末装置の位置を特定する位置特定手段と、
外部の装置からの要求に応じて、前記特性判定手段により判定された楽曲の特性と、前記位置特定手段により特定された前記端末装置の位置と、を含む情報を前記外部の装置に提供する情報提供手段と、を備えること、
を特徴とする楽曲情報提供システム。
【請求項３】
前記情報提供手段は、前記特性判定手段により判定された楽曲の特性と、前記位置特定手段により特定された前記端末装置の位置とを表示するためのウェブページのデータを生成して、前記通信回線を介して外部の装置に送信すること、
を特徴とする請求項２記載の楽曲情報提供システム。
【請求項４】
前記情報提供手段は、前記特性判定手段により判定された楽曲の特性と前記位置特定手段により特定された前記端末装置の位置とを示すマークを地図上にプロットした画面を表示するためのウェブページのデータを生成すること、
を特徴とする請求項３記載の楽曲情報提供システム。
【請求項５】
前記サーバ装置は、前記端末装置から送信された音声データを記憶する音声データ記憶手段を備え、
前記情報提供手段は、前記外部の装置からの要求に応じて、前記音声データ記憶手段に記憶された音声データを前記外部の装置に送信すること、
を特徴とする請求項２から４のいずれかに記載の楽曲情報提供システム。
【請求項６】
前記端末装置は、その自己位置を検出する位置検出手段をさらに備え、前記位置検出手段によって検出した自己位置を示す位置情報を、位置特定情報として前記送信手段によって送信するものであり、
前記サーバ装置が備える位置特定手段は、前記端末装置から送信された情報から位置情報を抽出することにより、前記端末装置の位置を特定すること、
を特徴とする請求項２から５のいずれかに記載の楽曲情報提供システム。
【請求項７】
通信回線を介して接続された端末装置から、その端末装置により予め設定された以上の音量で検出された演奏中の楽曲の音声データと、その端末装置の現在位置を特定するための位置特定情報とが送信された場合に、この送信された音声データと位置特定情報とを取得し、
取得した音声データに基づいて、この音声データの楽曲の特性を判定し、
前記位置特定情報に基づいて前記音声データを送信した前記端末装置の位置を特定し、
判定した楽曲の特性と、特定した前記端末装置の位置と、を含む情報を外部の装置に提供すること、
を特徴とする楽曲情報提供方法。
【請求項８】
通信回線を介してサーバ装置に接続され、
予め設定された以上の音量の音声を検出して音声データを生成する音声検出手段と、
前記音声検出手段により生成された音声データを、前記端末装置の自己位置を特定するための位置特定情報とともに送信する送信手段と、
を備えることを特徴とする端末装置。
【手続補正２】
【補正対象書類名】明細書
【補正対象項目名】発明の名称
【補正方法】変更
【補正の内容】
【発明の名称】楽曲情報提供装置、楽曲情報提供システム、楽曲情報提供方法、及び、端末装置
【手続補正３】
【補正対象書類名】明細書
【補正対象項目名】０００１
【補正方法】変更
【補正の内容】
【０００１】
本発明は、楽曲の演奏に関する情報を提供する楽曲情報提供装置、楽曲情報提供システム、楽曲情報提供方法、及び、端末装置に関する。
【手続補正４】
【補正対象書類名】明細書
【補正対象項目名】０００４
【補正方法】変更
【補正の内容】
【０００４】
上記課題を解決するため、本発明は、通信回線を介して接続された端末装置から、その端末装置により予め設定された以上の音量で検出された楽曲の音声データと、その端末装置の現在位置を特定するための位置特定情報とが送信された場合に、この送信された音声データと位置特定情報とを受信する受信手段と、前記受信手段により受信された音声データに基づいて、この音声データの楽曲の特性を判定する特性判定手段と、前記位置特定情報に基づいて前記音声データを送信した前記端末装置の位置を特定し、特定した前記端末装置の位置と、前記特性判定手段により判定した楽曲の特性と、を含む情報を外部の装置に提供する情報提供手段と、を備えること、を特徴とする楽曲情報提供装置を提供する。
この構成によれば、通信回線を介して接続された端末装置から、その端末装置により予め設定された以上の音量で検出された楽曲の音声データと、その端末装置の現在位置を特定するための位置特定情報とが送信された場合に、この送信された音声データに基づいてこの音声データの楽曲の特性を判定し、楽曲の特性と、位置特定情報から特定した端末装置の位置とを含む情報を外部の装置に提供するので、端末装置の近傍で演奏が行われた場合に、演奏されている場所と演奏されている楽曲の特性とを示す情報を提供できる。このため、音楽を楽しみたいと望む人に対して、演奏中の楽曲に関する情報を提供できる。提供される情報のうち、楽曲の特性に関する情報は人が所望の楽曲を選ぶために役立ち、演奏されている位置の情報はその人が所望の楽曲を聴きに行くために役立つ。このように、演奏中の楽曲の中から好みの音楽を選び、その音楽を聴きに行くための情報を、速やかに提供できる。
そして、この構成を適用すれば、端末装置の近くにおいて、予め場所や時刻を定めない演奏活動（例えばストリートライブ）等が始まった場合に、この演奏活動に関する情報を速やかに提供できる。
【手続補正５】
【補正対象書類名】明細書
【補正対象項目名】０００５
【補正方法】変更
【補正の内容】
【０００５】
また、本発明は、通信回線を介して接続された端末装置と、サーバ装置とを備えて構成され、前記端末装置は、予め設定された以上の音量の音声を検出して音声データを生成する音声検出手段と、前記音声検出手段により生成された音声データを、前記端末装置の自己位置を特定するための位置特定情報とともに送信する送信手段と、を備え、前記サーバ装置は、前記端末装置から送信された音声データに基づいて、この音声データの楽曲の特性を判定する特性判定手段と、前記位置特定情報に基づいて前記音声データを送信した前記端末装置の位置を特定する位置特定手段と、外部の装置からの要求に応じて、前記特性判定手段により判定された楽曲の特性と、前記位置特定手段により特定された前記端末装置の位置と、を含む情報を前記外部の装置に提供する情報提供手段と、を備えること、を特徴とする楽曲情報提供システムを提供する。
この構成によれば、端末装置からサーバ装置に対し、その端末装置により予め設定された以上の音量で検出された音声の音声データと、その端末装置の現在位置を特定するための位置特定情報とを送信し、サーバ装置により、端末装置が生成した音声データに基づいて、この音声データの楽曲の特性を判定し、位置特定情報に基づいて、音声データを送信した端末装置の位置を特定し、楽曲の特性と端末装置の位置とを含む情報を外部の装置に提供する。端末装置の位置は演奏場所の近くであるから、実質的に演奏場所とみなすことができる。従って、端末装置の近傍で演奏が行われた場合に、サーバ装置によって、演奏場所と演奏されている楽曲の特性とを示す情報を提供することで、音楽を楽しみたいと望む人に対して、演奏中の楽曲に関する情報を提供できる。サーバ装置が提供する情報のうち、楽曲の特性に関する情報は人が所望の楽曲を選ぶために役立ち、演奏されている位置の情報はその人が所望の楽曲を聴きに行くために役立つ。このように、演奏中の楽曲の中から好みの音楽を選び、その音楽を聴きに行くための情報を、速やかに提供できる。この構成を適用すれば、端末装置の近くにおいて、予め場所や時刻を定めない演奏活動（例えばストリートライブ）等が始まった場合に、演奏者や主催者がその都度告知活動を行わなくても、演奏が開始されてから、演奏活動に関する情報を速やかに提供できる。また、端末装置の数に応じて、広範囲の地域において、様々な場所における演奏活動に関して情報を迅速に提供できる。
【手続補正６】
【補正対象書類名】明細書
【補正対象項目名】００１０
【補正方法】変更
【補正の内容】
【００１０】
また、本発明は、通信回線を介して接続された端末装置から、その端末装置により予め設定された以上の音量で検出された楽曲の音声データと、その端末装置の現在位置を特定するための位置特定情報とが送信された場合に、この送信された音声データと位置特定情報とを取得し、取得した音声データに基づいて、この音声データの楽曲の特性を判定し、前記位置特定情報に基づいて前記音声データを送信した前記端末装置の位置を特定し、特定した前記端末装置の位置と、判定した楽曲の特性と、を含む情報を外部の装置に提供すること、を特徴とする楽曲情報提供方法を提供する。
この方法によれば、端末装置の近傍で、予め場所や時刻を定めない演奏活動（例えばストリートライブ）等が始まった場合に、演奏されている場所と演奏されている楽曲の特性とを示す情報を提供するので、音楽を楽しみたいと望む人に対して、演奏中の楽曲に関する情報を提供できる。そして、楽曲の特性を示す情報と、演奏されている位置を示す情報とを提供することで、演奏中の楽曲の中から好みの音楽を選び、その音楽を聴きに行くための情報を、速やかに提供できる。
【手続補正７】
【補正対象書類名】明細書
【補正対象項目名】００１１
【補正方法】変更
【補正の内容】
【００１１】
また、本発明は、通信回線を介してサーバ装置に接続され、予め設定された以上の音量の音声を検出して音声データを生成する音声検出手段と、前記音声検出手段により生成された音声データを、前記端末装置の自己位置を特定するための位置特定情報とともに送信する送信手段と、を備えることを特徴とする端末装置を提供する。